(57)【特許請求の範囲】
【請求項１】
圧縮機、室外側熱交換器、膨張弁、室内側熱交換器を接続して冷媒を循環させる冷媒回路を複数備え、前記複数の冷媒回路の室内側熱交換器がそれぞれ同一の室内機に配置された空気調和装置であって、
前記室内側熱交換器に流れる冷媒の一部を、当該冷媒回路以外の少なくとも１つの前記室内側熱交換器に供給するバイパス回路と、
前記バイパス回路の流路を開閉するバイパス切替装置と
を備え、
前記複数の冷媒回路のうち少なくとも１つが、所定の条件を満たす場合、
前記バイパス回路により、当該所定の条件を満たす冷媒回路以外の前記室内側熱交換器に流れる冷媒の一部を、当該所定の条件を満たす冷媒回路の前記室内側熱交換器に供給し、
前記所定の条件は、
他の冷媒回路の少なくとも１つの前記圧縮機が運転中に、当該冷媒回路の前記圧縮機が停止している場合である
ことを特徴とする空気調和装置。
【請求項２】
圧縮機、室外側熱交換器、膨張弁、室内側熱交換器を接続して冷媒を循環させる冷媒回路を複数備え、前記複数の冷媒回路の室内側熱交換器がそれぞれ同一の室内機に配置された空気調和装置であって、
前記室内側熱交換器に流れる冷媒の一部を、当該冷媒回路以外の少なくとも１つの前記室内側熱交換器に供給するバイパス回路と、
前記バイパス回路の流路を開閉するバイパス切替装置と、
前記複数の冷媒回路の前記室内側熱交換器の蒸発温度を、それぞれ検知する第１温度検知手段と
を備え、
前記複数の冷媒回路のうち少なくとも１つが、所定の条件を満たす場合、
前記バイパス回路により、当該所定の条件を満たす冷媒回路以外の前記室内側熱交換器に流れる冷媒の一部を、当該所定の条件を満たす冷媒回路の前記室内側熱交換器に供給し、
前記所定の条件は、
他の冷媒回路の少なくとも１つの蒸発温度と、当該冷媒回路の蒸発温度との温度差が所定値以上の場合である
ことを特徴とする空気調和装置。
【請求項３】
前記所定の条件は、
他の冷媒回路の少なくとも１つの蒸発温度と、当該冷媒回路の蒸発温度との温度差が所定値以上であり、且つ、他の冷媒回路の少なくとも１つの前記圧縮機が運転中に、当該冷媒回路の前記圧縮機が停止している場合である
ことを特徴とする請求項２記載の空気調和装置。
【請求項４】
前記所定の条件は、
他の冷媒回路の少なくとも１つの蒸発温度と、当該冷媒回路の蒸発温度との温度差が所定値以上である状態が所定時間以上継続し、且つ、他の冷媒回路の少なくとも１つの前記圧縮機が運転中に、当該冷媒回路の前記圧縮機が停止している場合である
ことを特徴とする請求項２記載の空気調和装置。
【請求項５】
圧縮機、室外側熱交換器、膨張弁、室内側熱交換器を接続して冷媒を循環させる冷媒回路を複数備え、前記複数の冷媒回路の室内側熱交換器がそれぞれ同一の室内機に配置された空気調和装置であって、
前記室内側熱交換器に流れる冷媒の一部を、当該冷媒回路以外の少なくとも１つの前記室内側熱交換器に供給するバイパス回路と、
前記バイパス回路の流路を開閉するバイパス切替装置と、
前記室内機に吸入された空気の相対湿度を検知する湿度検知手段と
を備え、
前記複数の冷媒回路のうち少なくとも１つが、所定の条件を満たす場合、
前記バイパス回路により、当該所定の条件を満たす冷媒回路以外の前記室内側熱交換器に流れる冷媒の一部を、当該所定の条件を満たす冷媒回路の前記室内側熱交換器に供給し、
前記所定の条件は、
前記湿度検知手段の検知湿度が所定値以上、且つ、他の冷媒回路の少なくとも１つの前記圧縮機が運転中に、当該冷媒回路の前記圧縮機が停止している場合である
ことを特徴とする空気調和装置。
【請求項６】
圧縮機、室外側熱交換器、膨張弁、室内側熱交換器を接続して冷媒を循環させる冷媒回路を複数備え、前記複数の冷媒回路の室内側熱交換器がそれぞれ同一の室内機に配置された空気調和装置であって、
前記室内側熱交換器に流れる冷媒の一部を、当該冷媒回路以外の少なくとも１つの前記室内側熱交換器に供給するバイパス回路と、
前記バイパス回路の流路を開閉するバイパス切替装置と、
前記複数の冷媒回路の前記室内側熱交換器の蒸発温度を、それぞれ検知する第１温度検知手段と、
前記室内機に吸入された空気の相対湿度を検知する湿度検知手段と
を備え、
前記複数の冷媒回路のうち少なくとも１つが、所定の条件を満たす場合、
前記バイパス回路により、当該所定の条件を満たす冷媒回路以外の前記室内側熱交換器に流れる冷媒の一部を、当該所定の条件を満たす冷媒回路の前記室内側熱交換器に供給し、
前記所定の条件は、
前記湿度検知手段の検知湿度が所定値以上、且つ、他の冷媒回路の少なくとも１つの蒸発温度と、当該冷媒回路の蒸発温度との温度差が所定値以上の場合である
ことを特徴とする空気調和装置。
【請求項７】
前記所定の条件は、
前記湿度検知手段の検知湿度が所定値以上であって、他の冷媒回路の少なくとも１つの蒸発温度と、当該冷媒回路の蒸発温度との温度差が所定値以上であり、且つ、他の冷媒回路の少なくとも１つの前記圧縮機が運転中に、当該冷媒回路の前記圧縮機が停止している場合である
ことを特徴とする請求項６記載の空気調和装置。
【請求項８】
前記所定の条件は、
前記湿度検知手段の検知湿度が所定値以上であって、他の冷媒回路の少なくとも１つの蒸発温度と、当該冷媒回路の蒸発温度との温度差が所定値以上である状態が所定時間以上継続し、且つ、他の冷媒回路の少なくとも１つの前記圧縮機が運転中に、当該冷媒回路の前記圧縮機が停止している場合である
ことを特徴とする請求項６記載の空気調和装置。
【請求項９】
圧縮機、室外側熱交換器、膨張弁、室内側熱交換器を接続して冷媒を循環させる冷媒回路を複数備え、前記複数の冷媒回路の室内側熱交換器がそれぞれ同一の室内機に配置された空気調和装置であって、
前記室内側熱交換器に流れる冷媒の一部を、当該冷媒回路以外の少なくとも１つの前記室内側熱交換器に供給するバイパス回路と、
前記バイパス回路の流路を開閉するバイパス切替装置と、
前記室内機に吸入された空気の温度、または前記室内機から吐出される空気の温度を検知する第２温度検知手段と
を備え、
前記複数の冷媒回路のうち少なくとも１つが、所定の条件を満たす場合、
前記バイパス回路により、当該所定の条件を満たす冷媒回路以外の前記室内側熱交換器に流れる冷媒の一部を、当該所定の条件を満たす冷媒回路の前記室内側熱交換器に供給し、
前記所定の条件は、
当該冷媒回路の前記圧縮機の運転周波数が所定値以上であり、且つ、前記第２温度検知手段の検知温度と設定温度との温度差が所定温度以上の場合である
ことを特徴とする空気調和装置。
【請求項１０】
前記所定の条件は、
当該冷媒回路の前記圧縮機の運転周波数が所定値以上であり、且つ、前記第２温度検知手段の検知温度と設定温度との温度差が所定温度以上である状態が所定時間以上継続した場合である
ことを特徴とする請求項９記載の空気調和装置。
【請求項１１】
前記室内機に吸入された空気の相対湿度を検知する湿度検知手段を備え、
前記所定の条件は、
前記湿度検知手段の検知湿度が所定値以上であって、当該冷媒回路の前記圧縮機の運転周波数が所定値以上であり、且つ、前記第２温度検知手段の検知温度と設定温度との温度差が所定温度以上の場合である
ことを特徴とする請求項９記載の空気調和装置。
【請求項１２】
前記バイパス回路は、
当該冷媒回路の前記膨張弁から前記室内側熱交換器に至る流路を分岐して、当該冷媒回路以外の少なくとも１つの前記室内側熱交換器を経て、当該冷媒回路の前記室内側熱交換器から当該冷媒回路の前記圧縮機に至る流路へ合流する流路を形成した
ことを特徴とする請求項１〜１１の何れかに記載の空気調和装置。
【請求項１３】
前記室内機内に設けられ、当該室内機内に吸入した空気を前記複数の室内側熱交換器にそれぞれ供給し、当該室内機外に吐出させる室内ファンを備えた
ことを特徴とする請求項１〜１２の何れかに記載の空気調和装置。
【発明の詳細な説明】
【技術分野】
【０００１】
本発明は、複数の冷媒回路の室内側熱交換器がそれぞれ同一の室内機に配置された空気調和装置に関するものである。
【背景技術】
【０００２】
従来の空気調和装置においては、例えば「容量可変圧縮機、凝縮側熱交換器、絞り装置、蒸発側熱交換器を有する第１の冷媒回路と、容量固定圧縮機、前記第１の冷媒回路のものとは別の凝縮側熱交換器、前記第１の冷媒回路のものとは別の絞り装置、前記第１の冷媒回路のものとは別の蒸発側熱交換器を有する第２の冷媒回路とを備え、前記第２の冷媒回路の前記凝縮側熱交換器と前記絞り装置の間から前記容量固定圧縮機の吸入側にバイパスし、バイパス用絞り装置を有するバイパス回路を設け、前記バイパス回路の前記バイパス用絞り装置と前記容量固定圧縮機の吸入側間の配管の冷媒と、前記第１の冷媒回路の前記凝縮側熱交換器と前記絞り装置の間の配管の冷媒とが熱交換する過冷却熱交換器を備えた」ものが提案されている（例えば、特許文献１参照）。
【先行技術文献】
【特許文献】
【０００３】
【特許文献１】特開２００３−３０２１１１号公報（請求項１）
【発明の概要】
【発明が解決しようとする課題】
【０００４】
従来の空気調和装置は、２つの冷媒回路の室内側熱交換器がそれぞれ同一の室内機に配置されている。このような構成の空気調和装置において、冷房運転の際に２つの室内側熱交換器の蒸発温度に温度差が生じると、蒸発温度の高い室内側熱交換器からの空気が、蒸発温度の低い室内側熱交換器からの空気により冷却されて露点温度を下回り、室内機内で結露が発生する、という問題点があった。
特に、室内機内への吸込み空気の湿度が高い条件で長時間運転する場合、この問題点は顕著である。
【０００５】
また、室内機内で生じた結露水が、例えばファンケーシング部より吸込まれ、室内機外に露飛びする場合がある、という問題点があった。
【０００６】
一般に、結露を防ぐ手段として室内機内部に断熱材を貼り付けることがある。しかし、室内機内部のすべての面に貼り付けられるわけではないこと、また、多大なコストアップとなる、という問題点があった。
【０００７】
なお、蒸発温度に温度差が生じる場合としては、例えば、冷房運転で室内の負荷が小となり、一方の冷媒回路の運転を停止し、他方の冷媒回路のみ運転状態（以下「片肺運転」ともいう）となった場合がある。また、室外機の一方が故障して、他方の故障していない室外機で運転する応急運転の場合や、デマンドによる容量制御の場合がある。応急運転では、故障している室外機が復旧する時間にもよるが、長時間運転することが想定される。
【０００８】
この発明は、上記のような課題を解決するためになされたもので、複数の室内側熱交換器における蒸発温度の温度差を低減することができ、室内機内の結露発生を抑制することができる空気調和装置を得ることを目的とする。
【課題を解決するための手段】
【０００９】
本発明の空気調和装置は、圧縮機、室外側熱交換器、膨張弁、室内側熱交換器を接続して冷媒を循環させる冷媒回路を複数備え、前記複数の冷媒回路の室内側熱交換器がそれぞれ同一の室内機に配置された空気調和装置であって、前記室内側熱交換器に流れる冷媒の一部を、当該冷媒回路以外の少なくとも１つの前記室内側熱交換器に供給するバイパス回路と、前記バイパス回路の流路を開閉するバイパス切替装置とを備え、前記複数の冷媒回路のうち少なくとも１つが、所定の条件を満たす場合、前記バイパス回路により、当該所定の条件を満たす冷媒回路以外の前記室内側熱交換器に流れる冷媒の一部を、当該所定の条件を満たす冷媒回路の前記室内側熱交換器に供給し、前記所定の条件は、他の冷媒回路の少なくとも１つの前記圧縮機が運転中に、当該冷媒回路の前記圧縮機が停止している場合である。
【発明の効果】
【００１０】
本発明は、室内側熱交換器に流れる冷媒の一部を、当該冷媒回路以外の少なくとも１つの室内側熱交換器に供給する。このため、複数の室内側熱交換器における蒸発温度の温度差を低減することができ、室内機内の結露発生を抑制することができる。
【図面の簡単な説明】
【００１１】
【図１】本発明の実施の形態１に係る空気調和装置の冷媒回路図である。
【図２】本発明の実施の形態１に係る制御動作を示すフローチャートである。
【図３】本発明の実施の形態２に係る制御動作を示すフローチャートである。
【図４】本発明の実施の形態３に係る制御動作を示すフローチャートである。
【図５】本発明の実施の形態４に係る空気調和装置の冷媒回路図である。
【発明を実施するための形態】
【００１２】
実施の形態１．
図１は本発明の実施の形態１に係る空気調和装置の冷媒回路図である。図１において、室外機１ａは、容量可変な圧縮機２ａ、四方弁３ａ、室外側熱交換器４ａ（凝縮器）、過冷却熱交換器５ａ、電子膨張弁６ａ、およびアキュムレータ１１ａを備えている。室外機１ｂは、容量可変な圧縮機２ｂ、四方弁３ｂ、室外側熱交換器４ｂ（凝縮器）、過冷却熱交換器５ｂ、電子膨張弁６ｂ、およびアキュムレータ１１ｂを備えている。室内機１３は、電子膨張弁８ａ、電子膨張弁８ｂ、室内側熱交換器９ａ（蒸発器）、室内側熱交換器９ｂ（蒸発器）、および室内ファン１２を備えている。
【００１３】
なお、電子膨張弁８ａ、８ｂは、本発明における「膨張弁」に相当する。
【００１４】
室内側熱交換器９ａは、液配管７ａおよびガス配管１０ａにより室外機１ａと接続され、冷媒を循環させる第一の冷媒回路を形成している。また、室内側熱交換器９ｂは、液配管７ｂおよびガス配管１０ｂにより室外機１ｂと接続され、冷媒を循環させる第二の冷媒回路を形成している。
【００１５】
また、室内側熱交換器９ａ、９ｂには、室内側熱交換器９ａ、９ｂ内の冷媒温度を検知する第１温度センサー（図示せず）がそれぞれ設けられている。
【００１６】
なお、第１温度センサーは、本発明における「第１温度検知手段」に相当する。
【００１７】
室内ファン１２は、室内機１３内に設けられ、当該室内機１３内に吸入した空気を室内側熱交換器９ａおよび９ｂにそれぞれ供給し、当該室内機１３外に吐出させる。つまり、室内機１３は、室内側熱交換器９ａ（蒸発器）、室内側熱交換器９ｂ（蒸発器）に対して同一の室内ファン１２を使用している。
【００１８】
さらに、室内側熱交換器９ａ（蒸発器）に接続されたガス配管１０ａと、室内側熱交換器９ｂ（蒸発器）に接続されたガス配管１０ｂとを接続するガスバイパス回路１５を備えている。また、室内側熱交換器９ａ（蒸発器）に接続された液配管７ａと、室内側熱交換器９ｂ（蒸発器）に接続された液配管７ｂとを接続する液バイパス回路１６を備えている。また、ガス配管１０ａにはバイパス回路開閉用の弁１４ａが設けられ、ガス配管１０ｂにはバイパス回路開閉用の弁１４ｂが設けられている。また、液バイパス回路１６にはバイパス回路開閉用の弁１４ｃが設けられている。
【００１９】
なお、ガスバイパス回路１５および液バイパス回路１６により形成される回路は、本発明における「バイパス回路」に相当する。
また、弁１４ａ、１４ｂ、１４ｃは、本発明における「バイパス切替装置」に相当する。
【００２０】
なお、室内側熱交換器９ａの種類に制限はない。例えば、空冷式、水冷式を問わない。また、第一の冷媒回路および第二の冷媒回路を循環する冷媒に制限はない。例えば、Ｒ２２のような単一冷媒、Ｒ４０７Ｃのような非共沸混合冷媒、Ｒ４１０Ａのような疑似共沸冷媒、ＣＯ２のような自然冷媒など任意の冷媒を用いて良い。さらに、室内ファン１２による室内機内への吸込み方式についても制限はなく、室内空気を吸込む方式、室外空気を吸込む方式などを問わない。
【００２１】
なお、本実施の形態では、２つの冷媒回路の場合を説明するが、これに限定されるものではなく、３つ以上の冷媒回路であっても本発明を適用することができる。
【００２２】
図１の冷媒回路図を用いて、室外機１ａのみの片肺運転となったときの冷媒の流れについて説明する。室外機１ａでは、容量可変の圧縮機２ａから吐出された高温高圧ガス冷媒が四方弁３ａを介して室外側熱交換器４ａ（凝縮器）へ流入し、高温高圧の液冷媒となる。さらに、過冷却熱交換器５ｂで熱交換することで高温高圧で過冷却された液冷媒となる。過冷却熱交換器５ｂで高温高圧の液となった冷媒は、電子膨張弁８ａで低温低圧の二相冷媒となり、室内側熱交換器９ａ（蒸発器）に流入し、室内側熱交換器９ａ（蒸発器）で低温低圧のガス冷媒となり、アキュムレータ１１ａを介して容量可変の圧縮機２ａに戻る。
【００２３】
室外機１ｂ部は、室外機１ａ部の片肺運転のため運転しておらず、冷媒が流れていない状態である。
【００２４】
このような片肺運転では、室内側熱交換器９ａと室内側熱交換器９ｂとで蒸発温度差ができ、室内側熱交換器９ａおよび９ｂの二次側で冷気と暖気（冷却されない空気）が混合する。これにより暖気が露点以下に冷却され、室内機１３内部で結露が発生する。
【００２５】
本実施の形態における空気調和装置は、このような結露の発生を抑制するため、ガスバイパス回路１５、液バイパス回路１６、バイパス回路開閉用の弁１４ａ、１４ｂ、１４ｃを設けている。そして、室内側熱交換器９ａまたは９ｂの一方に流れる冷媒の一部を、他方の室内側熱交換器９ａまたは９ｂに供給するバイパス回路を形成している。
【００２６】
例えば室外機１ａのみの片肺運転時には、弁１４ａを開、弁１４ｂを閉、弁１４ｃを開として、電子膨張弁８ａからの低温低圧の二相冷媒が液バイパス回路１６に流れるようにし、室内側熱交換器９ｂ（蒸発器）で熱交換できるようにする。室内側熱交換器９ｂ（蒸発器）で熱交換して低温低圧となった二相冷媒は、ガスバイパス回路１５を流れ、アキュムレータ１１ａを介して容量可変の圧縮機２ａに戻るようにする。
このように、ガスバイパス回路１５および液バイパス回路１６により形成されるバイパス回路により、電子膨張弁８ａから室内側熱交換器９ａに至る流路を分岐して、第二の冷媒回路の室内側熱交換器９ｂを経て、当該第一の冷媒回路の室内側熱交換器９ａから圧縮機２ａに至る流路へ合流する流路を形成する。
【００２７】
また、例えば室外機１ｂのみの片肺運転時には、弁１４ａを閉、弁１４ｂを開、弁１４ｃを開として、電子膨張弁８ｂからの低温低圧の二相冷媒が液バイパス回路１６に流れるようにし、室内側熱交換器９ａ（蒸発器）で熱交換できるようにする。室内側熱交換器９ａ（蒸発器）で熱交換して低温低圧となった二相冷媒は、ガスバイパス回路１５を流れ、アキュムレータ１１ｂを介して容量可変の圧縮機２ｂに戻るようにする。
このように、ガスバイパス回路１５および液バイパス回路１６により形成されるバイパス回路により、電子膨張弁８ｂから室内側熱交換器９ｂに至る流路を分岐して、第一の冷媒回路の室内側熱交換器９ａを経て、当該第二の冷媒回路の室内側熱交換器９ｂから圧縮機２ｂに至る流路へ合流する流路を形成する。
【００２８】
なお、ここでは片肺運転の場合を例に説明するが、これに限るものではなく、蒸発温度の温度差が生じる所定の条件を設定して、この所定の条件を満たす場合に、室内側熱交換器９ａまたは９ｂの一方に流れる冷媒の一部を、他方の室内側熱交換器９ａまたは９ｂに供給するバイパス回路を形成するようにすることができる。
次に、本実施の形態１の制御動作について説明する。
【００２９】
図２は本発明の実施の形態１に係る制御動作を示すフローチャートである。
まず、冷房運転を開始すると、第１温度センサーにより、室内側熱交換器９ａの蒸発温度Ｔｅａおよび室内側熱交換器９ｂの蒸発温度Ｔｅｂを検知する。そして、蒸発温度Ｔｅａと蒸発温度Ｔｅｂとの温度差ΔＴｅ（絶対値）が所定値以上（例えば１５℃）である状態が、所定時間（例えば１時間）以上継続し、且つ、圧縮機２ａまたは圧縮機２ｂどちらか運転中に他方が停止している条件、を満たすか否かを判断する（ＳＴ１）。条件を満たしていない場合はそのままの運転を継続する。
なお、温度差ΔＴｅの所定値、継続時間である所定時間は、任意の値を設定することができる。
【００３０】
例えば、冷房運転中に室内の空調負荷が小さくなり、圧縮機２ａまたは２ｂの何れかが停止（ＯＦＦ）した場合、温度差ΔＴｅの温度差が大きくなる。このような状態が継続して、上記ＳＴ１の条件を満たした場合、圧縮機２ｂが停止であれば、弁１４ａを開、弁１４ｂを閉、弁１４ｃを開とし、圧縮機２ａが停止であれば、弁１４ａを閉、弁１４ｂを開、弁１４ｃを開としてバイパス回路を形成する（ＳＴ２）。
このようなバイパス回路を形成することで、室内側熱交換器９ａと室内側熱交換器９ｂの両方に二相冷媒を供給して、室内側熱交換器９ａ、９ｂの蒸発温度の温度差を低減させることで、室内側熱交換器９ａ、９ｂの二次側で冷気と暖気が混合することによる結露の発生を抑制できる。
【００３１】
次に、圧縮機２ａおよび圧縮機２ｂともにＯＮであるか否かを判断する（ＳＴ３）。条件を満たしていない場合は、バイパス回路の形成をそのまま継続する。
例えば、室内の空調負荷が大きくなり、圧縮機２ａおよび圧縮機２ｂともに運転状態（ＯＮ）となり、上記ＳＴ３の条件を満たした場合、弁１４ａを開、弁１４ｂを開、弁１４ｃを閉にしてバイパス回路を閉状態とする（ＳＴ４）。
【００３２】
以上のように本実施の形態においては、室内側熱交換器９ａまたは９ｂに流れる冷媒の一部を、当該冷媒回路以外の室内側熱交換器９ａまたは９ｂに供給する。
このため、複数の室内側熱交換器９における蒸発温度の温度差を低減することができ、室内側熱交換器９の二次側で冷気と暖気が混合することを抑制できる。よって、室内機１３内の結露発生を抑制することができる。
また、室内機１３内の結露発生を抑制することで、室内機１３内で生じた結露水が、例えばファンケーシング部より吸込まれ、室内機１３外に露飛びすることを抑制することができる。したがって、信頼性の高い空気調和装置を提供することができる。
また、結露を防ぐ手段として室内機１３内部に断熱材を貼り付ける必要がなく、コスト削減を図ることができる。
【００３３】
また、バイパス回路は、電子膨張弁８ａまたは８ｂから室内側熱交換器９ａまたは９ｂに至る流路を分岐して、当該冷媒回路以外の室内側熱交換器９ａまたは９ｂを経て、当該冷媒回路の室内側熱交換器９ａまたは９ｂから圧縮機２ａまたは２ｂに至る流路へ合流する流路を形成した。
このため、電子膨張弁８からの二相冷媒を室内側熱交換器９ａと室内側熱交換器９ｂの両方に二相冷媒を供給して、室内側熱交換器９ａ、９ｂの蒸発温度の温度差を低減させることができる。よって、室内機１３内の結露発生を抑制することができる。
【００３４】
また、室内機１３内に設けられた室内ファン１２により、室内機１３内に吸入した空気を室内側熱交換器９ａおよび９ｂのそれぞれに供給し、室内機１３外に吐出させる。このように、室内側熱交換器９ａおよび９ｂでそれぞれ熱交換された空気が、室内側熱交換器９ａおよび９ｂの二次側で混合して室内機１３外に吐出する構成であっても、室内側熱交換器９ａ、９ｂの蒸発温度の温度差を低減させるので、室内機１３内の結露発生を抑制することができる。
【００３５】
また、複数の冷媒回路のうち少なくとも１つが、所定の条件を満たす場合、バイパス回路により、当該所定の条件を満たす冷媒回路以外の室内側熱交換器９に流れる冷媒の一部を、当該所定の条件を満たす冷媒回路の室内側熱交換器９に供給する。
このため、複数の室内側熱交換器９の蒸発温度に温度差が生じ得る条件を満たす場合に、バイパス回路を形成することができ、複数の室内側熱交換器９の蒸発温度の温度差を低減させることができる。よって、室内機１３内の結露発生を抑制することができる。
【００３６】
また、バイパス回路を形成する所定の条件は、蒸発温度の温度差ΔＴｅが所定値以上である状態が所定時間以上継続し、且つ、他の冷媒回路の少なくとも１つの圧縮機２が運転中に、当該冷媒回路の圧縮機２が停止している場合である。
このため、複数の室内側熱交換器９の蒸発温度に温度差が生じ得る条件を満たす場合に、バイパス回路を形成することができ、複数の室内側熱交換器９の蒸発温度の温度差を低減させることができる。よって、室内機１３内の結露発生を抑制することができる。
【００３７】
なお、上記ＳＴ１の条件は、これに限るものではなく、複数の室内側熱交換器９の蒸発温度に温度差が生じ得る所定の条件を設定することができる。
例えば、所定の条件は、他の冷媒回路の少なくとも１つの圧縮機２が運転中に、当該冷媒回路の圧縮機２が停止している場合である。この条件によりバイパス回路を形成することで、複数の室内側熱交換器９における蒸発温度の温度差を低減することができ、室内側熱交換器９の二次側で冷気と暖気が混合することを抑制できる。よって、室内機１３内の結露発生を抑制することができる。
【００３８】
また例えば、所定の条件は、他の冷媒回路の少なくとも１つの蒸発温度と、当該冷媒回路の蒸発温度との温度差が所定値以上の場合である。この条件によりバイパス回路を形成することで、複数の室内側熱交換器９における蒸発温度の温度差を低減することができ、室内側熱交換器９の二次側で冷気と暖気が混合することを抑制できる。よって、室内機１３内の結露発生を抑制することができる。
【００３９】
また例えば、所定の条件は、他の冷媒回路の少なくとも１つの蒸発温度と、当該冷媒回路の蒸発温度との温度差が所定値以上であり、且つ、他の冷媒回路の少なくとも１つの圧縮機２が運転中に、当該冷媒回路の圧縮機２が停止している場合である。この条件によりバイパス回路を形成することで、複数の室内側熱交換器９における蒸発温度の温度差を低減することができ、室内側熱交換器９の二次側で冷気と暖気が混合することを抑制できる。よって、室内機１３内の結露発生を抑制することができる。
【００４０】
実施の形態２．
実施の形態２では、バイパス回路を形成する条件に、相対湿度を加え、結露し易い環境にある場合に、バイパス回路を形成するようにする。
【００４１】
本実施の形態２における空気調和装置は、上記実施の形態１の構成に加え、室内機１３に吸入された空気の相対湿度を検知する温湿度センサー（図示せず）を備えている。
この温湿度センサーは、例えば室内吸込み空気温度と室内吸込み空気湿度とから室内吸込み空気の相対湿度を求めるものである。なお、センサーの種類に制限はなく、相対湿度を検知できるものであればよい。
【００４２】
なお、温湿度センサーは、本発明における「湿度検知手段」に相当する。
その他の構成は、上記実施の形態１（図１）と同様であり、同一部分には同一の符号を付する。
以下、本実施の形態２の制御について説明する。
【００４３】
図３は本発明の実施の形態２に係る制御動作を示すフローチャートである。まず、実施の形態１と同様に、所定の条件を満たすか否か判断する（ＳＴ１１）。条件を満たしていない場合はそのままの運転を継続する。
【００４４】
上記ＳＴ１１の条件を満たした場合、室内機１３内への吸込み空気の相対湿度を、温湿度センサーで検知し、相対湿度が所定値以上（例えば６０％以上）か否かを判断する（ＳＴ２）。条件を満たしていない場合はそのままの運転を継続する。
なお、相対湿度の所定値は、任意の値を設定することができる。
【００４５】
上記ＳＴ１２の条件を満たした場合、圧縮機２ｂが停止であれば、弁１４ａを開、弁１４ｂを閉、弁１４ｃを開とし、圧縮機２ａが停止であれば、弁１４ａを閉、弁１４ｂを開、弁１４ｃを開としてバイパス回路を形成する（ＳＴ１３）。
【００４６】
つまり、検知湿度が所定値以上であって、蒸発温度の温度差ΔＴｅが所定値以上である状態が、所定時間以上継続し、且つ、他の冷媒回路の少なくとも１つの圧縮機２が運転中に、当該冷媒回路の圧縮機２が停止している場合に、バイパス回路が形成される。
このようなバイパス回路を形成することで、室内側熱交換器９ａと室内側熱交換器９ｂの両方に二相冷媒を供給して、室内側熱交換器９ａ、９ｂの蒸発温度の温度差を低減させることで、室内側熱交換器９ａ、９ｂの二次側で冷気と暖気が混合することによる結露の発生を抑制できる。
【００４７】
次に、吸込み空気の相対湿度が、室内機１３内部が結露しない程度の相対湿度以下（例えば相対湿度５０％以下）であるか否かを判断する（ＳＴ１４）。条件を満たしていない場合は、バイパス回路の形成をそのまま継続する。
例えば、室内空気が除湿されるなどして相対湿度が低下して、上記ＳＴ１４の条件を満たした場合、弁１４ａを開、弁１４ｂを開、弁１４ｃを閉にしてバイパス回路を閉状態とする（ＳＴ１５）。
【００４８】
以上のように本実施の形態においては、上記実施の形態１に加え、室内機１３に吸入された空気の相対湿度を検知する温湿度センサーを備え、バイパス回路を形成する条件に、吸込み空気の相対湿度が所定値以上である条件を追加する。
このため、上記実施の形態１の効果に加え、室内吸込み空気が、所定値より高い湿度であって、室内機１３内部が結露し易い環境の場合に限定してバイパス回路を形成することができる。
【００４９】
なお、上記ＳＴ１１およびＳＴ１２の条件は、これに限るものではなく、所定の条件を設定することができる。
例えば、所定の条件は、温湿度センサーの検知湿度が所定値以上、且つ、他の冷媒回路の少なくとも１つの圧縮機２が運転中に、当該冷媒回路の圧縮機２が停止している場合である。この条件によりバイパス回路を形成することで、室内機１３内部が結露し易い環境の場合に限定して、複数の室内側熱交換器９における蒸発温度の温度差を低減することができ、室内機１３内の結露発生を抑制することができる。
【００５０】
また例えば、所定の条件は、温湿度センサーの検知湿度が所定値以上、且つ、他の冷媒回路の少なくとも１つの蒸発温度と、当該冷媒回路の蒸発温度との温度差が所定値以上の場合である。この条件によりバイパス回路を形成することで、室内機１３内部が結露し易い環境の場合に限定して、複数の室内側熱交換器９における蒸発温度の温度差を低減することができ、室内機１３内の結露発生を抑制することができる。
【００５１】
また例えば、所定の条件は、温湿度センサーの検知湿度が所定値以上であって、他の冷媒回路の少なくとも１つの蒸発温度と、当該冷媒回路の蒸発温度との温度差が所定値以上であり、且つ、他の冷媒回路の少なくとも１つの圧縮機２が運転中に、当該冷媒回路の圧縮機２が停止している場合である。この条件によりバイパス回路を形成することで、室内機１３内部が結露し易い環境の場合に限定して、複数の室内側熱交換器９における蒸発温度の温度差を低減することができ、室内機１３内の結露発生を抑制することができる。
【００５２】
実施の形態３．
実施の形態３では、バイパス回路を形成する条件に、空調能力を加え、空調能力の低下により蒸発温度に温度差が生じ易い場合に、バイパス回路を形成するようにする。例えば、室外機１の何れかが故障して応急運転を行っているときなど、空調能力が未達であればバイパス経路を形成し、空調能力をアップさせる。この空調能力については、例えば圧縮機２の運転周波数、および吸込み（吹出し）温度と設定温度との温度差で空調能力の過不足を判断することができる。
【００５３】
本実施の形態３における空気調和装置は、上記実施の形態１または２の構成に加え、室内機１３に吸入された空気の温度、または室内機１３から吐出される空気の温度を検知する第２温度センサー（図示せず）を備えている。なお、センサーの種類に制限はなく、空気温度を検知できるものであればよい。
【００５４】
なお、第２温度センサーは、本発明における「第２温度検知手段」に相当する。
その他の構成は、上記実施の形態１（図１）または２と同様であり、同一部分には同一の符号を付する。
以下、本実施の形態３の制御について説明する。
【００５５】
図４は本発明の実施の形態３に係る制御動作を示すフローチャートである。まず、冷房運転を開始すると、故障している室外機１の有無を確認し、故障していない室外機１のみの運転であるか否かを判断する（ＳＴ２１）。
【００５６】
故障している室外機１があり、故障していない室外機１が運転している場合、ＳＴ２２により所定の条件を満たすか否か判断する。条件を満たしていない場合はそのままの運転を継続する。
この所定の条件は、吸込み空気の相対湿度が所定値以上（例えば６０％以上）であるか否か、または、圧縮機２の運転周波数が所定値以上（例えば最大値）であり、且つ、第２温度センサーで検知された吸込み（吹出し）温度と設定温度との温度差が所定温度以上（例えば３℃以上）の状態を所定時間以上（例えば１０分）継続した場合であるか否かである。
なお、相対湿度の所定値、運転周波数の所定値、温度差の所定値は、任意の値を設定することができる。
【００５７】
上記ＳＴ２２の条件を満たした場合、室外機１ｂが故障、つまり圧縮機２ｂが停止または能力低下状態であれば、弁１４ａを開、弁１４ｂを閉、弁１４ｃを開とする。また、室外機１ａが故障、つまり圧縮機２ａが停止または能力低下状態であれば、弁１４ａを閉、弁１４ｂを開、弁１４ｃを開としてバイパス回路を形成する（ＳＴ２３）。
【００５８】
つまり、当該冷媒回路の圧縮機２の運転周波数が所定値以上であり、且つ、吸込み（吹出し）温度と設定温度との温度差が所定温度以上である状態が所定時間以上継続した場合に、バイパス回路が形成される。
このようなバイパス回路を形成することで、室内側熱交換器９ａと室内側熱交換器９ｂの両方に二相冷媒を供給して、室内側熱交換器９ａ、９ｂの蒸発温度の温度差を低減させることで、室内側熱交換器９ａ、９ｂの二次側で冷気と暖気が混合することによる結露の発生を抑制できる。また、空調能力が低下している冷媒回路の空調能力を向上させることができる。
【００５９】
次に、吸込み空気の相対湿度が、室内機１３内部が結露しない程度の相対湿度以下（例えば相対湿度５０％以下）であり、且つ、吸込み（吹出し）温度と設定温度との温度差が所定値以下（例えば１℃以下）であるか否かを判断する（ＳＴ２４）。条件を満たしていない場合は、バイパス回路の形成をそのまま継続する。
例えば、室内空気が除湿されるなどして相対湿度が低下し、且つ、空調能力が向上して設定温度との温度差が所定値以下に低下して、上記ＳＴ２４の条件を満たした場合、弁１４ａを開、弁１４ｂを開、弁１４ｃを閉にしてバイパス回路を閉状態とする（ＳＴ２５）。
【００６０】
上記ＳＴ２１で故障している室外機がないと判断した場合、上記実施の形態１または２と同様の動作により、圧縮機２の運転状態や相対湿度に基づいて条件を判断し、バイパス回路を形成する（ＳＴ２６）。
【００６１】
以上のように本実施の形態においては、上記実施の形態１または２に加え、当該冷媒回路の圧縮機２の運転周波数が所定値以上であり、且つ、吸込み（吹出し）温度と設定温度との温度差が所定温度以上である状態の場合、空調能力が不足している状態と判断し、バイパス回路を形成する条件に、この空調能力が不足状態である条件を追加する。
このため、上記実施の形態１または２の効果に加え、空調能力が低下している冷媒回路の空調能力を向上させることができる。よって、室内機１３内部の結露抑制と冷媒回路の能力確保とが可能となる。
【００６２】
なお、上記ＳＴ２１の条件は、これに限るものではなく、所定の条件を設定することができる。
例えば、所定の条件は、当該冷媒回路の圧縮機２の運転周波数が所定値以上であり、且つ、吸込み（吹出し）温度と設定温度との温度差が所定温度以上の場合である。この条件によりバイパス回路を形成することで、空調能力が低下している冷媒回路の空調能力を向上させることができ、室内機１３内部の結露抑制と冷媒回路の能力確保とが可能となる。
【００６３】
また例えば、所定の条件は、温湿度センサーの検知湿度が所定値以上であって、当該冷媒回路の圧縮機２の運転周波数が所定値以上であり、且つ、吸込み（吹出し）温度と設定温度との温度差が所定温度以上の場合である。この条件によりバイパス回路を形成することで、空調能力が低下している冷媒回路の空調能力を向上させることができ、室内機１３内部の結露抑制と冷媒回路の能力確保とが可能となる。
【００６４】
実施の形態４．
上記実施の形態１〜３では、第一の冷媒回路および第二の冷媒回路の２つの冷媒回路を備えた構成について説明した。本発明はこれに限定されるものではなく、３つ以上の冷媒回路であってもよい。ここでは、冷媒回路が３つの場合を例示する。
【００６５】
図５は本発明の実施の形態４に係る空気調和装置の冷媒回路図である。図５に示すように、本実施の形態における空気調和装置は、上記実施の形態１（図１）の構成に加え、室外機１ｃを備えている。なお、室外機１ｃの構成は室外機１ａ、１ｂと同様であり、添え字ｃを付する。また、室内機１３には、室内側熱交換器９ｃを備えている。また、室内側熱交換器９ｃは、液配管７ｃおよびガス配管１０ｃにより室外機１ｃと接続され、冷媒を循環させる第三の冷媒回路を形成している。
【００６６】
さらに、室内側熱交換器９ｂ（蒸発器）に接続されたガス配管１０ｂと、室内側熱交換器９ｃ（蒸発器）に接続されたガス配管１０ｃとを接続するガスバイパス回路１７を備えている。また、室内側熱交換器９ｂ（蒸発器）に接続された液配管７ｂと、室内側熱交換器９ｃ（蒸発器）に接続された液配管７ｃとを接続する液バイパス回路１８を備えている。また、ガス配管１０ｃにはバイパス回路開閉用の弁１４ｄが設けられ、液バイパス回路１８にはバイパス回路開閉用の弁１４ｅが設けられている。
【００６７】
このような構成により、例えば上記実施の形態１〜３の何れかと同様に所定の条件を満たすか否かを判定する。そして、複数の冷媒回路のうち少なくとも１つが、所定の条件を満たす場合、バイパス回路により、当該所定の条件を満たす冷媒回路以外の室内側熱交換器に流れる冷媒の一部を、当該所定の条件を満たす冷媒回路の室内側熱交換器に供給する。
例えば、圧縮機２ｃが停止状態であり、室内側熱交換器９ｃに対し他の冷媒回路から冷媒を供給する場合、弁１４ａを開、弁１４ｂを開、弁１４ｃを開、弁１４ｄを閉、弁１４ｅを開として、第一の冷媒回路および第二の冷媒回路から、第三の冷媒回路へ冷媒を供給するバイパス回路を形成する。
【００６８】
このような３つ以上の冷媒回路の構成であっても、上記実施の形態１〜３と同様の効果を奏することができる。
【００６９】
なお、上記実施の形態１〜４では、バイパス切替装置としての弁１４ａ〜１４ｅは、流路を開閉する弁を用いる場合を説明したが、これに限らず、流量調整弁などによりバイパス回路に流れる冷媒の流量を調整できるようにしてもよい。これにより、例えば、蒸発温度の温度差の大きさや、空調能力の低下量などに応じて、冷媒の供給量を調整することができる。
【符号の説明】
【００７０】
１  室外機、１ａ  室外機、１ｂ  室外機、１ｃ  室外機、２  圧縮機、２ａ  圧縮機、２ｂ  圧縮機、２ｃ  圧縮機、３ａ  四方弁、３ｂ  四方弁、４ａ  室外側熱交換器、４ｂ  室外側熱交換器、５ａ  過冷却熱交換器、５ｂ  過冷却熱交換器、６ａ  電子膨張弁、６ｂ  電子膨張弁、７ａ  液配管、７ｂ  液配管、７ｃ  液配管、８  電子膨張弁、８ａ  電子膨張弁、８ｂ  電子膨張弁、９  室内側熱交換器、９ａ  室内側熱交換器、９ｂ  室内側熱交換器、９ｃ  室内側熱交換器、１０ａ  ガス配管、１０ｂ  ガス配管、１０ｃ  ガス配管、１１ａ  アキュムレータ、１１ｂ  アキュムレータ、１２  室内ファン、１３  室内機、１４ａ  弁、１４ｂ  弁、１４ｃ  弁、１４ｄ  弁、１４ｅ  弁、１５  ガスバイパス回路、１６  液バイパス回路、１７  ガスバイパス回路、１８  液バイパス回路。
【図１】
0005511432.tif 000002
【図２】
0005511432.tif 000003
【図３】
0005511432.tif 000004
【図４】
0005511432.tif 000005
【図５】
0005511432.tif 000006